(57)【要約】【課題】記憶部へのデータの書き込みが異常終了となる頻度を低くすることができるサーバ装置を提供することである。【解決手段】サーバ装置は、複数の記憶部と、異常情報制御部と、主制御部とを備える。記憶部は、データの書き込み先となる順を示す優先度が定められる。異常情報制御部は、記憶部へのデータの書き込みが異常となるか否かを示す異常情報を、記憶部に対応付けて不揮発性メモリに記憶させる。主制御部は、書き込みが異常とならない記憶部を異常情報及び優先度に基づいて選択し、選択した記憶部にデータを記憶させる。【選択図】図１
2015138306.tif 000002
【特許請求の範囲】
【請求項１】
データの書き込み先となる順を示す優先度が定められた複数の記憶部と、
前記記憶部へのデータの書き込みが異常となるか否かを示す異常情報を、前記記憶部に対応付けて不揮発性メモリに記憶させる異常情報制御部と、
書き込みが異常とならない前記記憶部を前記異常情報及び前記優先度に基づいて選択し、選択した前記記憶部にデータを記憶させる主制御部と、
を備えるサーバ装置。
【請求項２】
前記異常情報制御部は、前記記憶部が起動される際に、前記不揮発性メモリに記憶されている前記異常情報を、前記記憶部毎に前記主制御部に出力することを特徴とする請求項１に記載のサーバ装置。
【請求項３】
前記主制御部は、データの書き込みが異常となる前記記憶部に対応付けられた前記優先度を下げることを特徴とする請求項１又は請求項２に記載のサーバ装置。
【請求項４】
前記主制御部は、データの書き込みが異常となる前記記憶部への書き込みを不可と定めることを特徴とする請求項１から請求項３のいずれか一項に記載のサーバ装置。
【請求項５】
前記異常情報制御部は、前記記憶部へのデータの書き込みが異常となった回数を示す前記異常情報を、前記記憶部に対応付けて前記不揮発性メモリに記憶させることを特徴とする請求項１から請求項４のいずれか一項に記載のサーバ装置。
【請求項６】
前記記憶部は、空き容量が多いほど、前記優先度が高く定められることを特徴とする請求項１から請求項５のいずれか一項に記載のサーバ装置。
【請求項７】
前記記憶部は、書き込み回数が少ないほど、前記優先度が高く定められることを特徴とする請求項１から請求項６のいずれか一項に記載のサーバ装置。
【発明の詳細な説明】
【技術分野】
【０００１】
本発明の実施形態は、サーバ装置に関する。
【背景技術】
【０００２】
放送局では、コンテンツなどのデータをサーバ装置に収録する際、サーバ装置が有する複数の記憶部から、データの書き込み先となる記憶部が選択される。
【先行技術文献】
【特許文献】
【０００３】
【特許文献１】特開２００２−１７０３４３号公報
【特許文献２】特開平１０−３３４６９５号公報
【特許文献３】特開平５−１２７８３５号公報
【発明の概要】
【発明が解決しようとする課題】
【０００４】
異常を有する記憶部がデータの書き込み先として選択された場合、その記憶部へのデータの書き込みは、異常終了（収録エラー）となることがある。データをサーバ装置に収録する際に記憶部が適切に選択されなければ、データの書き込みが異常終了となる頻度が高くなってしまう、という問題がある。
【０００５】
本発明が解決しようとする課題は、記憶部へのデータの書き込みが異常終了となる頻度を低くすることができるサーバ装置を提供することである。
【課題を解決するための手段】
【０００６】
実施形態のサーバ装置は、複数の記憶部と、異常情報制御部と、主制御部とを備える。記憶部には、データの書き込み先となる順を示す優先度が定められる。異常情報制御部は、記憶部へのデータの書き込みが異常となるか否かを示す異常情報を、記憶部に対応付けて不揮発性メモリに記憶させる。主制御部は、書き込みが異常とならない記憶部を異常情報及び優先度に基づいて選択し、選択した記憶部にデータを記憶させる。
【図面の簡単な説明】
【０００７】
【図１】一実施形態における、サーバシステムの構成を示す図である。
【図２】一実施形態における、制御情報テーブルを示す図である。
【図３】一実施形態における、制御情報テーブルを示す図である。
【図４】一実施形態における、制御情報テーブルを示す図である。
【図５】一実施形態における、制御情報テーブルを示す図である。
【図６】一実施形態における、制御情報テーブルを示す図である。
【図７】一実施形態における、異常情報制御部の動作手順を示すフローチャートである。
【図８】一実施形態における、主制御部の動作手順を示すフローチャートである。
【発明を実施するための形態】
【０００８】
本実施形態について図面を参照して詳細に説明する。図１は、サーバシステムの構成を示す図である。サーバシステム１は、例えば、コンテンツを放送するためのシステムの一部として、放送局に備えられる。コンテンツを表すデータは、記憶部に記憶可能なデジタルデータであって、例えば、画像データ、音声データである。
【０００９】
サーバシステム１は、操作端末１０と、カメラ装置２０と、再生デッキ３０と、編集装置４０と、サーバ装置１１０と、放送設備１２０と、モニタ装置１３０と、を備える。
【００１０】
操作端末１０は、ユーザによる操作に応じて、各種データをサーバ装置１１０に送信する。ここで、各種データは、例えば、制御コマンド、再生リストである。再生リストは、再生されるデータの識別情報及び再生時刻を含むリストである。また、制御コマンドは、例えば、再生するデータを選択するための指示、再生開始指示又は再生終了指示である。操作端末１０は、例えば、キーボードである。
【００１１】
カメラ装置２０は、ユーザによる操作に基づいて撮像する。カメラ装置２０は、マイクを有する場合、音声を収録してもよい。この場合、カメラ装置２０は、撮像した画像データと、収録した音声データとを同期させて、データを生成する。カメラ装置２０は、ユーザによる操作に基づいて、生成したデータをサーバ装置１１０に送信する。
【００１２】
再生デッキ３０は、ユーザによる操作に基づいて、各種の記録媒体に記録されたデータを、サーバ装置１１０に送信する。ここで、各種の記録媒体は、例えば、フラッシュメモリ（半導体素子メモリ）、テープメディア又はハードディスクである。また、各種の記録媒体は、例えば、映画フィルム又はオーディオカセットでもよい。また、再生デッキ３０は、各種の記録媒体に記録されたデータを、ベースバンド信号によりサーバ装置１１０に送信する。
【００１３】
編集装置４０は、ユーザによる操作に基づいて、編集したデータをサーバ装置１１０に送信する。データは、例えば、ＭＸＦ（Material eXchange Format）ファイルの形式により送信される。
【００１４】
サーバ装置１１０は、カメラ装置２０、再生デッキ３０又は編集装置４０からデータを受信し、受信したデータを記憶する。また、サーバ装置１１０は、記憶したデータを、操作端末１０による制御に基づいて再生し、再生したデータを放送設備１２０に送信する。サーバ装置１１０は、再生したデータをモニタ装置１３０に送信してもよい。
【００１５】
放送設備１２０は、再生されたデータを、ベースバンド信号により再生部群１１５から受信する。放送設備１２０は、再生されたデータを放送する。放送設備１２０は、有線又は無線のいずれによりデータを放送してもよい。
【００１６】
モニタ装置１３０は、再生されたデータを、ベースバンド信号によりサーバ装置１１０の再生部群１１５から受信する。モニタ装置１３０は、受信したデータに基づく画像を、画面にプレビュー表示する。また、モニタ装置１３０は、受信したデータに基づく音声を、スピーカから出力する。
【００１７】
次に、サーバ装置１１０の詳細を説明する。
サーバ装置１１０は、主制御部１１１と、収録部群１１２と、記憶装置１１４と、再生部群１１５とを備える。サーバ装置１１０の機能部のうち一部または全部は、例えば、ＣＰＵ（Central Processing Unit）等のプロセッサが、記憶部に記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。記憶部１１３ａは、ＲＡＭ（Random Access Memory）、フラッシュメモリ、ＨＤＤ（Hard Disk Drive）、レジスタ等を含む。
【００１８】
主制御部１１１は、サーバ装置１１０の各機能部のリソースの管理及び制御を実行する。主制御部１１１は、収録部群１１２と、記憶装置１１４と、再生部群１１５とを制御する。主制御部１１１は、制御情報記憶部１１１ａを有する。
【００１９】
制御情報記憶部１１１ａは、制御情報テーブルを記憶する。制御情報テーブルは、制御情報が登録されたデータテーブルである。制御情報テーブルの詳細については後述する。制御情報記憶部１１１ａは、主制御部１１１を動作させるためのプログラムと、再生リストとを記憶する。また、制御情報記憶部１１１ａは、記憶装置１１４に記憶されているデータのアドレス情報を記憶してもよい。
【００２０】
主制御部１１１は、収録部群１１２が受信したデータを、記憶装置１１４に記憶させる。収録部群１１２が受信したデータは、例えば、コンテンツを表すデータである。主制御部１１１は、操作端末１０から受信した再生リストから、再生されるデータの識別情報と再生開始時刻とを抽出する。主制御部１１１は、再生開始時刻となった場合、記憶装置１１４を制御することにより、再生されるデータを記憶装置１１４から再生部群１１５に出力させる。主制御部１１１は、記憶装置１１４から出力されたデータを、再生部群１１５に再生させる。主制御部１１１の詳細については後述する。
【００２１】
収録部群１１２は、収録部１１２ａ−１〜１１２ａ−Ｍ（Ｍは、１以上の整数）を有する。以下、収録部１１２ａ−１〜１１２ａ−Ｍに共通する事項については、符号Ｍを省略して、「収録部１１２ａ」と表記する。収録部１１２ａは、カメラ装置２０、再生デッキ３０又は編集装置４０から、データを受信する。このデータは、例えば、コンテンツデータである。
【００２２】
収録部１１２ａは、受信したデータを符号化して、符号化したデータを、記憶装置１１４に出力する。この符号化方式は、例えば、ＭＰＥＧ２（Moving Picture Experts Group 2）規格、又は、Ｈ．２６４規格に基づく方式である。なお、収録部１１２ａは、符号化したデータを分割して、記憶装置１１４に出力してもよい。また、収録部１１２ａは、入力されたＭＸＦファイルを、記憶装置１１４に出力してもよい。
【００２３】
記憶装置１１４は、記憶部群１１３と、異常情報制御部１１３ｃとを有する。記憶部群１１３は、記憶部１１３ａ−１〜１１３ａ−Ｎ（Ｎは、１以上の整数）を有する。以下、記憶部１１３ａ−１〜１１３ａ−Ｎに共通する事項については、符号Ｎを省略して、「記憶部１１３ａ」と表記する。
【００２４】
記憶部１１３ａは、符号化されたデータを、収録部群１１２から取得する。記憶部１１３ａ−１〜１１３ａ−Ｎは、符号化されたデータを、予め定められた単位で記憶する。この予め定められた単位は、例えば、時間、シーン、チャプタ、ファイル、ストリーム又はフレームの単位である。記憶部１１３ａは、符号化されたデータを、リングバッファ形式により記憶してもよい。また、記憶部１１３ａは、符号化されたデータの破損情報を記憶してもよい。
【００２５】
記憶部群１１３は、記憶部１１３ａ−１〜１１３ａ−Ｎに分割して記憶された符号化されたデータを、主制御部１１１による制御に基づいて統合する。記憶部群１１３は、統合したデータを、再生部群１１５に出力する。
【００２６】
記憶部１１３ａは、不揮発性メモリ１１３ｂを有する。記憶部１１３ａ−ｎ（ｎは、１〜Ｎのうち任意の整数）は、対応付けられた不揮発性メモリとして、不揮発性メモリ１１３ｂ−ｎを有する。不揮発性メモリ１１３ｂは、対応付けられた記憶部１１３ａについての異常情報を記憶する。つまり、不揮発性メモリ１１３ｂ−ｎに記憶される異常情報は、記憶部１１３ａ−ｎへのデータの書き込みが異常となるか否か、を示す情報である。
【００２７】
例えば、異常情報は、記憶部１１３ａ−ｎが正常品に交換されたことにより、記憶部１１３ａ−ｎへのデータの書き込みが正常となることを示す情報である。また、例えば、異常情報は、記憶部１１３ａ−ｎへのデータの書き込みが異常となった履歴に基づいて、記憶部１１３ａ−ｎへのデータの書き込みが異常となることを示す情報でもよい。また、例えば、異常情報は、記憶部１１３ａ−ｎへのデータの書き込みの異常が発生した回数を示す情報でもよい。
【００２８】
異常情報制御部１１３ｃは、記憶部１１３ａが起動される際に、不揮発性メモリ１１３ｂ−１〜１１３ｂ−Ｎに記憶されている異常情報を、記憶部１１３ａ毎に主制御部１１１に出力する。記憶部１１３ａは、例えば、サーバ装置１１０が起動される場合、記憶装置１１４のみが起動される場合、又は、記憶部１１３ａが交換された場合に起動される。
【００２９】
異常情報制御部１１３ｃは、記憶部１１３ａ−ｎへのデータの書き込みが異常となった場合、不揮発性メモリ１１３ｂ−ｎに記憶されている異常情報を、「異常」に更新する。また、異常情報制御部１１３ｃは、記憶部１１３ａ−ｎへのデータの書き込みが異常となった場合、不揮発性メモリ１１３ｂ−ｎに記憶されている異常情報「異常」を、記憶部１１３ａ−ｎを示す識別情報「１１３ａ−ｎ」に対応付けて、主制御部１１１に出力する。
【００３０】
次に、主制御部１１１の詳細を説明する。
主制御部１１１は、書き込みが異常とならない記憶部１１３ａを、異常情報に基づいて選択する。主制御部１１１は、選択した記憶部１１３ａに、優先度が高い記憶部１１３ａの順で、データを記憶させる。
【００３１】
図２は、制御情報テーブルを示す図である。制御情報テーブルは、制御情報記憶部１１１ａに記憶される。制御情報テーブルの項目には、識別情報と、異常情報と、優先度とがある。図２では、異常情報は、２値で表現されるフラグ情報である。異常情報は、初期値では、「正常」と登録される。
【００３２】
優先度は、データの書き込み先となる順を示す。優先度の初期値は、予め定められる。以下では、優先度は、値が小さいほど優先度が高いことを示すものとする。主制御部１１１は、優先度を動的に変更する。例えば、記憶部１１３ａは、空き容量が多いほど、優先度が高く定められる。記憶部１１３ａは、書き込み回数が少ないほど、優先度が高く定められる。例えば、記憶部１１３ａは、全アドレス領域についての書き込み回数の合計が少ないほど、優先度が高く定められてもよい。
【００３３】
図２では、識別情報「１１３ａ−１」と、異常情報「正常」と、優先度「１」とが対応付けられている。識別情報「１１３ａ−２」と、異常情報「正常」と、優先度「２」とが対応付けられている。識別情報「１１３ａ−３」と、異常情報「正常」と、優先度「３」とが対応付けられている。識別情報「１１３ａ−４〜１１３ａ−Ｎ」についても同様である。
【００３４】
なお、制御情報テーブルは、記憶部１１３ａよりも小さい単位で、異常情報及び優先度を含んでいてもよい。記憶部１１３ａが複数の記憶領域に分けられている場合、その記憶領域の単位で、異常情報及び優先度を含んでいてもよい。
【００３５】
図３は、制御情報テーブルを示す図である。主制御部１１１は、異常情報及び識別情報に基づいて、データの書き込みが異常となる記憶部１１３ａ−ｎに対応付けられた優先度を、任意の優先度まで下げるように、制御情報テーブルを更新する。
【００３６】
図３では、主制御部１１１は、一例として、異常情報「異常」及び識別情報「１１３ａ−２」を、異常情報制御部１１３ｃから取得したとする。主制御部１１１は、記憶部１１３ａ−２に対応付けられた優先度を、記憶部１１３ａ−２の次に優先度が高い記憶部１１３ａ−３に対応付けられた優先度と入れ替える。図３では、主制御部１１１は、記憶部１１３ａ−２に対応付けられた優先度を、「２」から下げて「３」に更新する。一方、主制御部１１１は、記憶部１１３ａ−３に対応付けられた優先度を、「３」から上げて「２」に更新する。
【００３７】
図４は、制御情報テーブルを示す図である。主制御部１１１は、異常情報制御部１１３ｃから取得した異常情報及び識別情報に基づいて、データの書き込みが異常となる記憶部１１３ａ−ｎへの書き込みを不可と定めることにより、制御情報テーブルを更新してもよい。図４では、主制御部１１１は、一例として、異常情報「異常」及び識別情報「１１３ａ−２」を、異常情報制御部１１３ｃから取得したとする。この場合、主制御部１１１は、記憶部１１３ａ−２への書き込みを不可と定める。図４では、主制御部１１１は、記憶部１１３ａ−２に対応付けられた優先度を、「書き込み不可」に更新する。一方、主制御部１１１は、記憶部１１３ａ−３に対応付けられた優先度を、「３」から繰り上げて「２」に更新する。また、主制御部１１１は、記憶部１１３ａ−Ｎに対応付けられた優先度を、「Ｎ」から繰り上げて「Ｎ−１」に更新する。
【００３８】
図５は、制御情報テーブルを示す図である。異常情報は、２値のフラグ情報でなくてもよい。例えば、異常情報制御部１１３ｃは、記憶部１１３ａ−ｎへのデータの書き込みが異常となった回数を示す異常情報を、記憶部１１３ａ−ｎに対応付けて不揮発性メモリ１１３ｂ−ｎに記憶させてもよい。
【００３９】
主制御部１１１は、異常情報制御部１１３ｃから取得した異常情報及び識別情報に基づいて、データの書き込みが異常となる記憶部１１３ａ−ｎに対応付けられた優先度を、最低の優先度「Ｎ」まで一度に下げることにより、制御情報テーブルを更新してもよい。
【００４０】
図５では、主制御部１１１は、一例として、異常情報「１回」及び識別情報「１１３ａ−２」を、異常情報制御部１１３ｃから取得したとする。主制御部１１１は、記憶部１１３ａ−２に対応付けられた優先度を、最低の優先度「Ｎ」に下げる。一方、主制御部１１１は、記憶部１１３ａ−３に対応付けられた優先度を、「３」から繰り上げて「２」に更新する。また、主制御部１１１は、記憶部１１３ａ−Ｎに対応付けられた優先度を、「Ｎ」から繰り上げて「Ｎ−１」に更新する。
【００４１】
図６は、制御情報テーブルを示す図である。主制御部１１１は、異常情報制御部１１３ｃから取得した異常情報及び識別情報に基づいて、異常情報が示す回数が所定回数以上であるか否かを判定する。図６では、所定回数は一例として２回であるものとする。主制御部１１１は、データの書き込みが異常となった回数が所定回数以上である記憶部１１３ａ−ｎに対応付けられた優先度を、「書き込み不可」に更新することにより、制御情報テーブルを更新する。
【００４２】
図６では、主制御部１１１は、一例として、異常情報「２回」及び識別情報「１１３ａ−２」を、異常情報制御部１１３ｃから取得したとする。主制御部１１１は、記憶部１１３ａ−２に対応付けられた優先度を、「書き込み不可」に更新する。一方、主制御部１１１は、記憶部１１３ａ−３に対応付けられた優先度を、「３」から繰り上げて「２」に更新する。また、主制御部１１１は、記憶部１１３ａ−Ｎに対応付けられた優先度を、「Ｎ」から繰り上げて「Ｎ−１」に更新する。
【００４３】
再生部群１１５は、再生部１１５ａ−１〜１１５ａ−Ｐ（Ｐは、１以上の整数）を有する。以下、再生部１１５ａ−１〜１１５ａ−Ｐに共通する事項については、符号Ｐを省略して、「再生部１１５ａ」と表記する。再生部１１５ａは、主制御部１１１による制御に基づいて、記憶装置１１４に記憶されたデータをデコードして再生する。
【００４４】
なお、再生部１１５ａ−１〜１１５ａ−Ｐは、分散処理により、コンテンツデータをそれぞれが分担して再生してもよい。また、コンテンツデータに画像データが含まれている場合、再生部１１５ａは、コンテンツデータを再生してベースバンド信号に変換する際に、例えば、画像フレームから部分画像を切り出してもよいし、画像フレームのアスペクト比を変換してもよい。
【００４５】
次に、サーバ装置１１０の動作手順として、異常情報制御部１１３ｃの動作手順と、主制御部１１１の動作手順と、を説明する。
図７は、異常情報制御部１１３ｃの動作手順を示すフローチャートである。
異常情報制御部１１３ｃは、データの書き込みが異常となったか否かを判定する（ステップＳ１）。データの書き込みが異常となっていない場合（ステップＳ１：ＮＯ）、異常情報制御部１１３ｃは、ステップＳ１の処理を繰り返す。
一方、データの書き込みが異常となった場合（ステップＳ１：ＹＥＳ）、異常情報制御部１１３ｃは、データの書き込みが異常となった記憶部１１３ａ−ｎを特定する（ステップＳ２）。
【００４６】
異常情報制御部１１３ｃは、データの書き込みが異常となった記憶部１１３ａ−ｎが有する不揮発性メモリ１１３ｂ−ｎに、異常情報を記憶させる（ステップＳ３）。
異常情報制御部１１３ｃは、データの書き込みが異常となった記憶部１１３ａ−ｎを示す識別情報と、記憶部１１３ａ−ｎに対応付けられた異常情報とを、主制御部１１１に出力する（ステップＳ４）。
【００４７】
図８は、主制御部１１１の動作手順を示すフローチャートである。
主制御部１１１は、異常情報を取得したか否かを判定する（ステップＳａ１）。異常情報を取得していない場合（ステップＳａ１：ＮＯ）、主制御部１１１は、ステップＳ１ａの処理を繰り返す。
一方、異常情報を取得した場合（ステップＳａ１：ＹＥＳ）、主制御部１１１は、取得した識別情報に対応付けて、制御情報テーブルに異常情報を登録する（ステップＳａ２）。
主制御部１１１は、取得した識別情報に対応付けられた記憶部１１３ａ−ｎを含む記憶部１１３ａ−１〜記憶部１１３−Ｎの優先度を更新し、更新した優先度を制御情報テーブルに登録する（ステップＳａ３）。
【００４８】
以上のように、サーバ装置１１０は、記憶部１１３ａ−１〜１１３ａ−Ｎと、異常情報制御部１１３ｃと、主制御部１１１とを備える。記憶部１１３ａは、データの書き込み先となる順を示す優先度が定められた記憶部である。異常情報制御部１１３ｃは、記憶部１１３ａ−ｎへのデータの書き込みが異常となるか否かを示す異常情報を、記憶部１１３ａ−ｎに対応付けて不揮発性メモリ１１３ｂ−ｎに記憶させる。主制御部１１１は、書き込みが異常とならない記憶部１１３ａを異常情報に基づいて選択し、選択した記憶部１１３ａに、優先度が高い記憶部１１３ａの順で、データを記憶させる。
【００４９】
この構成により、主制御部１１１は、書き込みが異常とならない記憶部１１３ａを異常情報及び優先度に基づいて選択し、選択した記憶部１１３ａにデータを記憶させる。これにより、実施形態のサーバ装置１１０は、記憶部１１３ａへのデータの書き込みが異常終了となる頻度を低くすることができる。また、実施形態のサーバ装置１１０は、収録作業などの運用に支障をきたさないようにすることができる。
【００５０】
異常情報制御部１１３ｃは、記憶部１１３ａが起動される際に、不揮発性メモリ１１３ｂに記憶されている異常情報を、記憶部１１３ａ毎に主制御部１１１に出力する。
主制御部１１１は、データの書き込みが異常となる記憶部１１３ａ−ｎに対応付けられた優先度を下げる。
【００５１】
主制御部１１１は、データの書き込みが異常となる記憶部１１３ａ−ｎへの書き込みを不可と定める。
異常情報制御部１１３ｃは、記憶部１１３ａ−ｎへのデータの書き込みが異常となった回数を示す異常情報を、記憶部１１３ａ−ｎに対応付けて不揮発性メモリ１１３ｂ−ｎに記憶させる。
【００５２】
記憶部１１３ａは、空き容量が多いほど、優先度が高く定められる。
記憶部１１３ａは、書き込み回数が少ないほど、優先度が高く定められる。
【００５３】
以上述べた少なくともひとつの実施形態のサーバ装置によれば、主制御部が、書き込みが異常とならない記憶部を異常情報及び優先度に基づいて選択し、選択した記憶部にデータを記憶させることにより、記憶部へのデータの書き込みが異常終了となる頻度を低くすることが可能となる。
【００５４】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００５５】
例えば、実施形態のサーバ装置１１０は、少なくともその一部が、クラウドサーバ装置により構成されていてもよい。すなわち、実施形態のサーバ装置１１０が実行する処理の少なくとも一部は、クラウド・コンピューティングにより実行されてもよい。
【００５６】
このクラウド・コンピューティングには、アプリケーション（ソフトウェア）をサービスとして提供するＳａａＳ（Software as a Service）と、アプリケーションを稼働させるための基盤（プラットフォーム）をサービスとして提供するＰａａＳ（Platform as a Service）と、サーバ装置、中央演算処理装置及びストレージなどのリソースをサービス（パブリッククラウド）として提供するＩａａＳ（Infrastructure as a Service）とのうち、少なくとも一つが含まれていてもよい。例えば、このクラウド・コンピューティングには、クラウド・サービス提供層（PaaS）により、インターネットを介した遠隔操作が含まれていてもよい。
【００５７】
実施形態のサーバ装置１１０は、その監視、障害対応及び運用のうち少なくとも一つが、代行サービスにより行われていてもよい。例えば、ＡＳＰ（Application Service Provider）が代行して、サーバ装置１１０を監視、障害対応及び運用してもよい。また、実施形態のサーバ装置１１０は、その監視、障害対応及び運用が、複数の主体によりされてもよい。
【００５８】
なお、上記に説明したサーバ装置及びシステムを実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００５９】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００６１】
１…サーバシステム、１０…操作端末、２０…カメラ装置、３０…再生デッキ、４０…編集装置、１１０…サーバ装置、１１１…主制御部、１１１ａ…制御情報記憶部、１１２…収録部群、１１２ａ…収録部、１１３…記憶部群、１１３ａ…記憶部、１１３ｂ…不揮発性メモリ、１１３ｃ…異常情報制御部、１１４…記憶装置、１１５…再生部群、１１５ａ…再生部、１２０…放送設備、１３０…モニタ装置
【図１】
2015138306.tif 000003
【図２】
2015138306.tif 000004
【図３】
2015138306.tif 000005
【図４】
2015138306.tif 000006
【図５】
2015138306.tif 000007
【図６】
2015138306.tif 000008
【図７】
2015138306.tif 000009
【図８】
2015138306.tif 000010